(57)【要約】【課題】  デッキ材両側の下端突条に連結金具を架設して床梁にネジ止めすることによって釘を使用しないで床梁上にデッキ材を固定するようにしたデッキにおいて，端部デッキ材の外側も釘を使用しないで床梁に固定できるようにする。【解決手段】  端部固定金具５における一対の固定片７２によって床梁２長手方向端部を抱持して固定片７２からのネジ７３で床梁２に固定するとともに端部固定金具５の垂直基板７１の上端にＬ字状に突設したＬ字状引掛片６３を端部デッキ材３ａにおける外側の下端突条３３に引掛け係止して端部デッキ材３ａを床梁２の下方に引寄せるようにして床梁２に対して固定する。【選択図】        図４
2005256340.tif 000002
【特許請求の範囲】
【請求項１】
中空長尺にして所定ピッチに並列配置した床梁上にこれに直交するように中空長尺のデッキ材を相互に小空隙を介して載置し，デッキ材の幅方向両側下端に突出配置した突条間に架設配置した連結金具を上記小空隙からのネジによって床梁に固定することによってデッキ材を並列配置したデッキであって，垂直基板と，該垂直基板から床梁方向に向けて突出し複数の透孔を配置した一対の固定片と，該固定片の上位にして端部位置のデッキ材方向に向けて突出したＬ字状引掛片とを備えたデッキ端部配置の端部固定金具を形成し，その一対の固定片によって床梁の長手方向両側面を被嵌固定し，Ｌ字状引掛片によって端部位置デッキ材の突条を引掛け係止することによって床梁長手方向端部と該端部に位置する端部デッキ材を固定してなることを特徴とする屋外の床形成用デッキ。
【請求項２】
上記端部固定金具が，上記固定片と同高さ位置乃至これより下方に反床梁方向に向けて突出した幕板載置片を備え，該幕板載置片に幕板の下端を載置し該幕板を垂直基板にネジ固定することによって上記床梁長手方向端部と端部デッキ材を幕板で被覆してなることを特徴とする請求項１に記載の屋外の床形成用デッキ。
【請求項３】
上記端部固定金具が，垂直基板，Ｌ字状引掛片及び幕板載置片を一体に有する断面Ｓ字状部材と，連結板とその両端の一対の固定片を有する断面コ字状部材とを備え，垂直基板と連結板とを垂直基板側からネジ固定した２部材構成の固定金具としてなることを特徴とする請求項２に記載の屋外の床形成用デッキ。
【請求項４】
上記端部固定金具における一対の固定片の透孔を水平方向に長孔としてなることを特徴とする請求項１，２又は３に記載の屋外の床形成用デッキ。
【請求項５】
上記端部固定金具による床梁長手方向と端部デッキ材を被覆する幕板の被覆に加えて，垂直基板と，該垂直基板の上端にデッキ材方向に向けて突出した固定片と，上記垂直基板の下端に反デッキ材方向に向けて突出した幕板載置片を有する第２端部固定金具を備え，該第２端部固定金具の固定片を並列配置したデッキ材長手方向端部の下面又は下辺に対接固定するとともに幕板載置片に幕板の下端を載置して該幕板を垂直基板にネジ固定することによって上記並列配置したデッキ材長手方向端端部を幕板で被覆してなることを特徴とする請求項１，２，３又は４に記載の屋外の床形成用デッキ。
【発明の詳細な説明】
【技術分野】
【０００１】
本発明は地表設置のデッキ，バルコニー等窓外設置のデッキ等として使用する屋外の床形成用デッキに関する。
【背景技術】
【０００２】
この種デッキは，中空長尺にして所定ピッチに並列配置した床梁上にこれに直交するように中空長尺のデッキ材を相互に小空隙を介して載置し，デッキ材の幅方向両側下端に突出配置した突条間に架設配置した連結金具を上記小空隙からのネジによって床梁に固定することによってデッキ材を並列配置したものとされ，このとき両側端部（入隅又は出隅のときは非壁側端部）に位置するデッキ材の片側には，隣接するデッキ材が存在しないことによって上記連結金具を使用して床梁への固定をおこなうことができないために，該片側が揺動することのないように該片側に限って，その長手方向所定ピッチでデッキ材の上面から床梁に対して長寸の釘を打込んで，その揺動防止のための固定を行なうものとされる。
【発明の開示】
【発明が解決しようとする課題】
【０００３】
しかしこの場合，端部に位置するデッキ材には長手方向に多数の釘が露出することによってデッキとしての外観を著しく損ない，商品価値を低下する原因となっている。一般に端部に位置するデッキには幕板を対接固定するために，例えば上記連結金具で該片側を固定しようとしても，突条に至るように該隣接するデッキ材側に突出する突出部分が幕板の対接固定を妨げるために，結局上記外観を損なうことを承知で釘打ちをしてその揺動防止の固定を行なうか，それとも固定を断念するかのいずれかしかない。
【０００４】
本発明はこのような事情に鑑みてなされたもので，その解決課題とするところは，上記のように連結金具を用いてデッキ材を相互に連結して床梁に固定するようにしたデッキにおいて端部に位置するデッキ材の片側，即ち非隣接側における片側を，上記釘打ちをすることなく固定し得るようにしたデッキを提供するにあり，また該端部に位置するデッキ材を簡易且つ確実に幕板で被覆して該デッキの外観を可及的によいものとするにある。
【課題を解決するための手段】
【０００５】
上記課題に添って本発明は，デッキ材が床梁上に直交するように載置されていることによって端部に位置するデッキ材の下には床梁の長手方向端部が存在していること，上記デッキ材がその幅方向両側に突条を備えていることから，端部に位置するデッキ材の上記非隣接側片側には該突条がその長手方向に存在していること，これによって床梁とデッキ材の交差状態で床梁の長手方向端部に対してデッキ材の突条を固定することが可能となること，このためには床梁の長手方向端部に対して被嵌するようにネジ止めするとともに上記デッキ材の突条に対して引掛係止するようにした端部固定金具を使用してこれらの固定を行なうようにするのが，デッキ材の簡易且つ確実な固定をなし得ること，このとき上記床梁長手方向端部の被嵌を行なう一対の固定片とデッキ材突条の引掛係止を行なうＬ字状引掛片とを垂直基板から突出するように配置したものとすれば，現場での作業性を確保して現場作業に適したものとし得ることに着目してなされたものであって，即ち請求項１に記載の発明を，中空長尺にして所定ピッチに並列配置した床梁上にこれに直交するように中空長尺のデッキ材を相互に小空隙を介して載置し，デッキ材の幅方向両側下端に突出配置した突条間に架設配置した連結金具を上記小空隙からのネジによって床梁に固定することによってデッキ材を並列配置したデッキであって，垂直基板と，該垂直基板から床梁方向に向けて突出し複数の透孔を配置した一対の固定片と，該固定片の上位にして端部位置のデッキ材方向に向けて突出したＬ字状引掛片とを備えたデッキ端部配置の端部固定金具を形成し，その一対の固定片によって床梁の長手方向両側面を被嵌固定し，Ｌ字状引掛片によって端部位置デッキ材の突条を引掛け係止することによって床梁長手方向端部と該端部に位置する端部デッキ材を固定してなることを特徴とする屋外の床形成用デッキとしたものである。
【０００６】
請求項２に記載の発明は，上記に加えて，端部固定金具が幕板を載置する幕板載置片を備えたものとすることによって，デッキの上記床梁長手方向端部と端部に位置するデッキ材とを外観よく簡易に幕板によって被覆し得るように，これを，上記端部固定金具が，上記固定片と同高さ位置乃至これより下方に反床梁方向に向けて突出した幕板載置片を備え，該幕板載置片に幕板の下端を載置し該幕板を垂直基板にネジ固定することによって上記床梁長手方向端部と端部デッキ材を幕板で被覆してなることを特徴とする請求項１に記載の屋外の床形成用デッキとしたものである。
【０００７】
請求項３に記載の発明は，同じく上記に加えて，端部固定金具を上記垂直基板，Ｌ字状引掛片，幕板載置片，一対の固定片を備えたものとすることによって，端部固定金具が複雑形状となる可能性が生じて，これを一体のものとするとその製造が煩雑化する一方，これを別体の部材を現場で一体化し得るものとすれば，その製造の容易性を確保し易いことから，これを，上記端部固定金具が，垂直基板，Ｌ字状引掛片及び幕板載置片を一体に有する断面Ｓ字状部材と，連結板とその両端の一対の固定片を有する断面コ字状部材とを備え，垂直基板と連結板とを垂直基板側からネジ固定した２部材構成の固定金具としてなることを特徴とする請求項２に記載の屋外の床形成用デッキ。
【０００８】
請求項４に記載の発明は，同じく上記に加えて，上記小空隙を介して床梁上に載置し，デッキ材相互を連結金具を用いた床梁へのネジ止めによって並列配置することによって，端部に位置するデッキ材と床梁長手方向端部との間に幾分の誤差が生じ，該誤差が生じたときに，床梁に固定片をネジ止めした端部固定金具におけるＬ字状引掛片と端部に位置するデッキ材の突条位置がずれる可能性があるところ，床梁に端部固定金具を固定した状態で端部固定金具の床梁長手方向への位置調整を可能とすることによって位置ズレを吸収して，常に作業性よく床梁とデッキ材との固定をなし得るものとするように，これを，上記端部固定金具における一対の固定片の透孔を水平方向に長孔としてなることを特徴とする請求項１，２又は３に記載の屋外の床形成用デッキとしたものである。
【０００９】
請求項５に記載の発明は，同じく上記に加えて，上記幕板による上記デッキの上記床梁長手方向端部と端部に位置するデッキ材との被覆とともにデッキ材長手方向端端部を幕板で被覆することによって交差する２辺乃至それ以上の端部被覆を行い，更に外観のすぐれたデッキとするように，これを，上記端部固定金具による床梁長手方向と端部デッキ材を被覆する幕板の被覆に加えて，垂直基板と，該垂直基板の上端にデッキ材方向に向けて突出した固定片と，上記垂直基板の下端に反デッキ材方向に向けて突出した幕板載置片を有する第２端部固定金具を備え，該第２端部固定金具の固定片を並列配置したデッキ材長手方向端部の下面又は下辺に対接固定するとともに幕板載置片に幕板の下端を載置して該幕板を垂直基板にネジ固定することによって上記並列配置したデッキ材長手方向端端部を幕板で被覆してなることを特徴とする請求項１，２，３又は４に記載の屋外の床形成用デッキとしたものである。
【００１０】
本発明はこれらをそれぞれ発明の要旨として上記課題解決の手段としたものである。
【発明の効果】
【００１１】
本発明は以上のとおりに構成したから，請求項１に記載の発明は，上記連結金具を用いてデッキ材を相互に連結して床梁に固定するようにしたデッキにおいて端部に位置する端部デッキ材の片側，即ち非隣接側における片側を，上記釘打ちをすることなく固定し得るようにしたデッキを提供するとともに該デッキ材の簡易且つ確実な固定をなし得て，現場での作業性を確保して現場作業に適したものとすることができる。
【００１２】
請求項２に記載の発明は，上記に加えて，端部固定金具が幕板を載置する幕板載置片を備えたものとすることによって，デッキの上記床梁長手方向端部と端部に位置する端部デッキ材とを外観よく簡易に幕板によって被覆したものとすることができる。
【００１３】
請求項３に記載の発明は，同じく上記に加えて，端部固定金具を，別体の部材を現場で一体化し得るものとして，その製造の容易性を確保したものとすることができる。
【００１４】
請求項４に記載の発明は，同じく上記に加えて，床梁に端部固定金具を固定した状態で端部固定金具の床梁長手方向への位置調整を可能として多数並列配置して端部に位置することによって生じる可能性のある端部デッキ材の位置ズレを吸収して，常に作業性よく床梁と端部デッキ材との固定をなし得るものとすることができる。
【００１５】
請求項５に記載の発明は，同じく上記に加えて，上記幕板による上記デッキの上記床梁長手方向端部と端部に位置する端部デッキ材との被覆とともにデッキ材長手方向端部を幕板で被覆することによって交差する２辺乃至それ以上の端部被覆を行って，更に外観のすぐれたデッキとすることができる。
【発明を実施するための最良の形態】
【００１６】
以下図面に示した例に従って本発明を更に具体的に説明すれば，Ａは，例えば地表設置のデッキであり，該デッキＡは，中空長尺にして所定ピッチに並列配置した床梁２上にこれに直交するように中空長尺のデッキ材３を相互に小空隙を介して載置し，デッキ材３の幅方向両側下端に突出配置した突条３３間に架設配置した連結金具４を上記小空隙からのネジ４４によって床梁２に固定することによってデッキ材３を並列配置したものとしてある。
【００１７】
床梁２及びデッキ材３は，例えばそれぞれ中空部を形成するように押出成形することによって高い剛性を確保するようにした，例えばアルミ製又は合成樹脂製厚肉の中空押出材の長尺部材によるものとしてあり，床梁２は，中空部２１と，その下面に配置した束柱１受入れ用の溝２２と，上面に配置した平坦面のデッキ材載置面２３とを備えて押出材，本例にあっては中空のアルミ押出材に所定の加工を施すことによって形成したものとしてある。デッキ材３は，幅方向に連設した複数の中空部，本例にあっては２連に連設した中空部３１と，幅方向両側の上下端に幅方向に突出配置した上下端の突条３２，３３とを備えて押出材，本例にあっては中空の厚肉合成樹脂押出材に同じく所定の加工を施すことによって形成したものとしてあり，このとき該上下端の突条３２，３３は，上端においてその幅方向突出幅寸法を幅広に，下端において同じく幅方向突出幅寸法を幅狭にして，上下端の突条３２，３３同士で上端の突条３２の出幅を大きく，下端の突条３３の出幅を小さく設定してある。
【００１８】
床梁２は，地表に起立設置，例えばコンクリートプレートの基礎石上に固定することによって起立設置した多数の束柱１上に，該束柱１をその受入れ用の溝２２に長手方向に複数受入れるように架設固定することによって所定ピッチで平行多数の並列配置を行うようにしてあり，該並列配置した床梁２には，その上記デッキ材載置面２３に直交し且つ上記上端の突条３２間に小空隙を介するようにデッキ材３を並列配置し，該デッキ材３と床梁２との交差位置で，上記下端の突条３３間に連結金具４を架設配置して該連結金具４を用いた床梁２に対する固定を行なうようにしてある。
【００１９】
連結金具４は，例えばステンレスをプレス加工し，アルミを押出加工した金属製にして，上記デッキ材３並列配置の状態で，隣接するデッキ材３の上記下端の突条３２間空隙，床梁２との交差位置において床梁２のデッキ材載置面２３を底面とし下端の突条３２を両側壁とするコ字溝に嵌合するように断面コ字状にして底面にネジ孔を設置した固定基部４１と，その両側上端にデッキ材３の幅方向に突出した張出片４２とを備えたピース金具としてあり，突条３３間に固定基部４１を嵌合し，透孔を介してネジ，例えばタップネジ４４を床梁２に螺入することによって連結金具４を床梁２に固定するとともにその両側の張出片４２によって床梁２に載置したデッキ材３の突条３３を下方に押圧するように引掛状に架設固定するようにしてあり，このとき本例の連結金具４は，これをステンレスをプレス加工した，板加工のステンレス製とし，そのスプリング性を利用して両側の張出片４２を弾発的に押圧してその架設固定を行なうものとしてある。このとき本例の上記下端の突条３３は，突出方向端部に隆起部３４を，その内側を凹陥して該隆起部３４の中空部端部壁面との間で段部を形成する一方，両側の張出片４２は，その突出方向先端又は中間を下向きに折曲乃至湾曲して係止部４３を形成し，上記段部に係止部４３を載置して突条３３と張出片４２とを幅方向に外れ止めをなすように係止して上記架設固定を可及的安定且つ確実に行なうようにしてある。
【００２０】
床梁２上に上記連結金具４を用いてデッキ材３を載置固定したデッキＡは，デッキＡ端部配置の端部固定金具５を用いてその床梁長手方向端部と該端部に位置する端部デッキ材３ａを固定したものとしてあり，このとき該端部固定金具５は，垂直基板６１と，該垂直基板６１から床梁２方向に向けて突出し複数の透孔７３を配置した一対の固定片７２と，該固定片７２の上位にして端部位置のデッキ材３ａ方向に向けて突出したＬ字状引掛片６３とを備えて形成したものとし，上記端部デッキ材３ａの固定は，その一対の固定片７２によって床梁２の長手方向両側面を被嵌固定し，Ｌ字状引掛片６３によって端部デッキ材３ａの下端の突条３３を引掛け係止することによって，これを行なったものとしてある。本例にあって該端部固定金具５は，これが，上記固定片７２と同高さ位置乃至これより下方に反床梁方向に向けて突出した幕板載置片６５を備え，該幕板載置片６５に幕板８の下端を載置し該幕板８を垂直基板６１にネジ８１固定することによって上記床梁２長手方向端部と端部デッキ材３ａを幕板８で被覆したものとしてあり，これによって本例の端部固定金具５は，垂直基板６１，Ｌ字状引掛片６３及び幕板載置片６５を一体に有する断面Ｓ字状部材６と，連結板７１とその両端の一対の固定片７２とを有する断面コ字状部材７を備え，垂直基板６１と連結板７１とを垂直基板６１側からネジ，接着等によって固定した２部材構成の固定金具としてある。
【００２１】
即ち本例にあって端部固定金具５は，上記連結金具４と同様に，例えばステンレスをプレス加工し，アルミを押出加工した金属製にして，これらの断面Ｓ字状部材６と断面コ字状部材７とをネジ接合したものとしてあり，本例にあって断面Ｓ字状部材６は，平板乃至部分的に屈曲した垂直基板６１と，その上端に一側裏面側に向けて垂直基板６１とＬ字状をなすように張出し突出した上記Ｌ字状引掛片６３と，下端に一側表面側に向けて同様に逆Ｌ字状をなすように張出し突出した幕板載置片６５とを備えて押出材，本例にあってはＳ字プレート状のアルミ押出材に所定の加工を施すことによって形成したものとしてあり，このとき本例のＬ字状引掛片６３は，上記デッキ材３の下端の突条３３に段部を形成したことに応じて，その先端に下向きの隆起部６４を配置し，上記連結金具４の係止と同様に，該段部に下向きの隆起部６４を載置して突条３３とＬ字状引掛片６３とを，その外れ止めをなすように係止するようにしてある。本例にあって断面コ字状部材７は，垂直の連結板７１の両端に上記一側裏面側，即ち床梁２側に向けてプレート状に幅広に固定片７２を張出すことによって断面コ字状として，本例にあっては板加工したステンレス製のものとしてある。
【００２２】
断面コ字状部材７は，その上記連結板７１を断面Ｓ字状部材６の垂直基板６１に対接して，垂直基板６１の透孔から連結板７１にバーリング加工したネジ孔によるナットにネジを螺入して，該断面コ字状部材７を断面Ｓ字状部材６に対してそのネジ接合による固定を行なって，これらを一体化してあり，その断面コ字状部材７の一対の固定片７２に床梁２の長手方向端部を受け入れて，これを抱持し，該固定片７２に透設した複数，本例にあって上下に一対とした透孔７３からネジ７４を床梁２に螺入して，該端部連結金具５を床梁２長手方向端部に固定するとともにそのＬ字状引掛片６３を該端部に位置する端部デッキ材３ａの下端の突条３３に引掛係止して，端部デッキ材３ａを床梁２の下方に引寄せるようにして該デッキ材３ａと直交するように交差する床梁２の端部に固定したものとしてあり，本例にあっては更に幕板載置片６５に，例えば合成樹脂製又は木製の厚肉プレート状長尺材の幕板８の下縁を載置して，該幕板８からのタップネジ８１を端部連結金具５の垂直基板６１と連結板７１の重合部分に螺入してその固定を行ない，該幕板８によって端部デッキ材３ａと床梁２とを被覆してデッキＡとしての端部仕上を行なうようにしてある。
【００２３】
このとき本例にあって端部固定金具５における一対の固定片７２の透孔７３は，これを水平方向に長孔としてあり，床梁２に該端部固定金具５を固定した状態でその床梁２長手方向への位置調整を可能として多数並列配置して端部に位置することによって生じる可能性のある端部デッキ材３ａの位置ズレを吸収して，常に作業性よく床梁２と端部デッキ材３ａとの固定をなし得るようにしてある。
【００２４】
また本例にあって該幕板８による被覆は，該幕板８を上記端部デッキ材３ａの上端から床梁２下端に至る高さのものとして，デッキＡの端部デッキ材３ａと床梁２の全部を覆うようにしてあり，このとき幕板８は，端部デッキ材３ａにおける上端の突条３２の突出方向先端に対接して垂直に配置するために，垂直基板６１に設置したＬ字状引掛片６３が，該上端の突条３２より幅狭に形成した下端の突条３３に係止することによって生じる，該上下端の突条３２，３３の出幅の寸法差を吸収可能とするように，例えば垂直基板６１下端を表面側に屈曲するように突出して上記幕板載置片６５を該寸法差分表面側にせり出すとともに垂直基板６１の上方表面に該寸法差分突出した水平リブ６２を設置したものとしてあり，これによって床梁２と端部デッキ材３ａを被覆する幕板８が垂直に固定し得るようにしてある。
【００２５】
本例のデッキＡにあって，該端部固定金具５による床梁２長手方向と端部デッキ材３ａを被覆する幕板８の被覆に加えて，第２端部固定金具９よって上記並列配置したデッキ材３長手方向端部を幕板８で被覆したものとしてあり，該第２端部固定金具９は，これを，垂直基板９１と，該垂直基板９１の上端にデッキ材３方向に向けて突出した固定片９２と，上記垂直基板９１の下端に反デッキ材方向に向けて突出した幕板載置片９３を有するものとしてあり，該第２端部固定金具９の固定片９２を，並列配置したデッキ材３長手方向端部の下面又は下辺に対接固定するとともに幕板載置片９３に幕板８の下端を載置して該幕板８を垂直基板９１に同じくタップネジ８１によってネジ固定してその被覆を行うものとしてある。
【００２６】
即ち本例にあって第２端部固定金具９は，同じく，例えばステンレスをプレス加工し，アルミを押出加工した金属製にして，垂直基板９１と，その上端に一側裏面側に向けて垂直基板９１とＬ字状をなすように張出し突出し，透孔，本例にあってはデッキ材交差方向に向けた長孔を透設したデッキ固定片９２と，下端に一側表面側に向けて同様に逆Ｌ字状をなすように張出し突出した幕板載置片９３とを備えて押出材，本例にあっては同じくＳ字プレート状のアルミ押出材に所定の加工を施すことによって形成したものとしてあり，上記デッキ固定片９２をデッキ材３の長手方向端部下端に対接し，上記透孔からデッキ材３の底壁にタップネジ９４を螺入して各デッキ材３乃至所定ピッチのデッキ材３に第２端部固定金具９を固定するとともに上記幕板載置片９３に同様に幕板８下端を載置し，該幕板８からのタップネジ９４を垂直基板９１に螺入して該幕板８の固定を行なうようにし，該幕板８によってデッキ材３長手方向端部と端部に位置する床梁２側面とを，その上下端の高さに至ってその全部を覆って，特にデッキ材３の端部断面が露出するのを防止してある。
【００２７】
このように構成したデッキＡは，連結金具４を用いてデッキ材３を相互に固定するようにしながら，端部に位置するデッキ材３ａの片側，即ち非隣接側における片側を，釘打ちをすることなく床梁２に固定し，該端部に位置するデッキ材３ａを簡易且つ確実に幕板８で被覆し，本例にあっては更にこれと交差するデッキ材３長手方向端部も幕板８で被覆することによって，デッキ材３乃至その端部が露出することなく外観を可及的に良好としたものとすることができる。
【００２８】
図示した例は以上のとおりとしたが，本発明の実施に当って，床梁，デッキ材，連結金具，端部固定金具，その垂直基板，固定片，Ｌ字状引掛片，必要に応じて用いる幕板載置片，断面Ｓ字状部材，断面コ字状部材，第２端部固定金具等の各具体的形状，構造，材質，これらの関係，これらに対する付加等は，上記発明の要旨に反しない限り，様々の形態とすることができる。
【図面の簡単な説明】
【００２９】
【図１】建物の躯体入隅に設置したデッキの斜視図である。
【図２】デッキ材の連結状態を示す縦断面図である。
【図３】デッキ材と連結金具の関係を示す拡大斜視図である。
【図４】床梁長手方向端部と端部デッキ材の固定状態を示すデッキの縦断面図である。
【図５】床梁とデッキ材長手方向端部の固定状態を示すデッキ材の縦断面図である。
【図６】端部固定金具の斜視図である。
【符号の説明】
【００３０】
Ａ  デッキ
１  束柱
２  床梁
３  デッキ材
３ａ  端部デッキ材
３３  下端突条
３４  隆起部
４  連結金具
４４  タップネジ
５  端部固定金具
６  断面Ｓ字状部材
６３  Ｌ字状引掛片
６４  幕板載置片
７  断面コ字状部材
７２  固定片
７３  長孔
８  幕板
９  第２端部固定金具
【図１】
2005256340.tif 000003
【図２】
2005256340.tif 000004
【図３】
2005256340.tif 000005
【図４】
2005256340.tif 000006
【図５】
2005256340.tif 000007
【図６】
2005256340.tif 000008